(57)【要約】  好適には直結軌道のためのレール基礎にレール（２）を固定するためのレール固定システム（１）であって、好適にはプラスチックから成るベースプレート（１０）と、少なくとも１つのダボ（２０）とを有しており、ベースプレート（１０）は、ベースプレート（１０）を厚さ方向で完全に貫通する少なくとも１つの開口（１５）を有しており、ダボ（２０）は開口（１５）内に取り付けられており、開口内で、保持輪郭によって保持されており、厚さ方向で少なくとも一方の側で、ベースプレート（１０）を越えて突出している、レール固定システム（１）。
2021510782.tif 000002
【特許請求の範囲】
【請求項１】
好適には直結軌道のためのレール基礎にレール（２）を固定するためのレール固定システム（１）であって、好適にはプラスチックから成るベースプレート（１０）と、少なくとも１つのダボ（２０）とを有しており、
前記ベースプレート（１０）は、前記ベースプレート（１０）を厚さ方向で完全に貫通する少なくとも１つの開口（１５）を有しており、
前記ダボ（２０）は前記開口（１５）内に取り付けられており、前記開口内で、保持輪郭によって保持されており、前記厚さ方向で少なくとも一方の側で、前記ベースプレート（１０）を越えて突出している、レール固定システム（１）。
【請求項２】
前記ベースプレート（１０）は、レール固定のための１つ以上の構成要素を取り付けるための組付け面（１１）と、前記組付け面（１１）に対して厚さ方向で反対側に位置する載置面（１４）とを有しており、前記開口（１５）は、前記組付け面（１１）と前記載置面（１４）とを貫通しており、前記ダボ（２０）は前記載置面（１４）の側で、前記ベースプレート（１０）を越えて突出している、請求項１記載のレール固定システム（１）。
【請求項３】
前記ダボ（２０）は前記組付け面（１１）の側から前記開口（１５）内に取り付けられる、請求項２記載のレール固定システム（１）。
【請求項４】
前記組付け面（１１）は、好適には減衰させかつ／またはばね弾性的な中間層（３）を介して、前記レール（２）を載置するために構成された、好適には傾けられた、レール載置区分（１２）および／またはアングル状ガイドプレート（４）を受容するために構成された１つ以上の受容部（１３）を有している、請求項２または３記載のレール固定システム（１）。
【請求項５】
前記載置面（１４）はリブ構造を有している、請求項２から４までのいずれか１項記載のレール固定システム（１）。
【請求項６】
前記保持輪郭を実現するために、前記開口（１５）が雌ねじ山（１６）を有し、かつ／または前記ダボ（２０）が雄ねじ山（２３）を有しており、前記ダボ（２０）は、前記組付け面（１１）の側から前記開口（１５）内へとねじ込まれるように構成されている、請求項２から５までのいずれか１項記載のレール固定システム（１）。
【請求項７】
前記雄ねじ山（２３）は、異なるねじ山特性値を有する２つの区分を有している、請求項６記載のレール固定システム（１）。
【請求項８】
前記保持輪郭を実現するために、前記ダボ（２０）は、前記開口（１５）の最も小さい直径を上回る直径を有するダボ頭部（２１）を有している、請求項２から７までのいずれか１項記載のレール固定システム（１）。
【請求項９】
前記ダボ（２０）内には締結ねじ（６）がねじ込まれていて、好適には、締結クランプ（５）が、前記締結ねじ（６）によって、前記締結クランプ（５）の保持区分がばね弾性的に、前記レール（２）のレール脚部（２ａ）に押し付けられるように、ねじ固定されている、請求項１から８までのいずれか１項記載のレール固定システム（１）。
【請求項１０】
前記ベースプレート（１０）と前記ダボ（２０）とは少なくとも部分的にコンクリート床（７）内に固定され、または少なくとも部分的にコンクリートによって埋め込まれている、請求項１から９までのいずれか１項記載のレール固定システム（１）。
【請求項１１】
前記ベースプレート（１０）は前記厚さ方向で８〜１５ｍｍの深さで前記コンクリート床（７）内に設置され、かつ／または前記ダボ（２０）は１２０ｍｍ以上の深さまで前記コンクリート床（７）内に達している、請求項１０記載のレール固定システム（１）。
【請求項１２】
前記ベースプレート（１０）は、前記ベースプレート（１０）を厚さ方向で完全に貫通する複数の、好適には２つの開口（１５）を有しており、前記レール固定システム（１）は、相応に前記開口（１５）内に取り付けられ、そこでそれぞれ保持輪郭によって保持され、前記厚さ方向で前記ベースプレート（１０）を越えて突出する複数の、好適には２つのダボ（２０）を有している、請求項１から１１までのいずれか１項記載のレール固定システム（１）。
【請求項１３】
請求項１から１２までのいずれか１項記載のレール固定システム（１）を製作する方法であって、ダボ（２０）を開口（１５）内に、前記ダボが前記開口内で、前記保持輪郭によって保持され、前記ベースプレート（１０）の厚さ方向で、少なくとも一方の側で、前記ベースプレート（１０）を越えて突出するように、取り付ける、方法。
【請求項１４】
前記ベースプレート（１０）は、レール固定のための１つ以上の構成要素を取り付けるための組付け面（１１）と、前記組付け面（１１）に対して前記厚さ方向で反対側に位置する載置面（１４）とを有しており、前記ダボ（２０）を、前記組付け面（１１）の側から前記開口（１５）内に、前記ダボが前記載置面（１４）の側で前記ベースプレート（１０）を越えて突出するように取り付ける、請求項１３記載の方法。
【請求項１５】
前記ダボ（２０）を前記開口（１５）内に取り付ける際に前記ダボ（２０）および／または前記ベースプレート（１０）を変形させず、好適には、前記ダボ（２０）を前記開口（１５）内に取り付け保持する際に、前記保持輪郭の変形が行われず、前記コンクリートの硬化後は、損傷の際に、前記ダボを破壊することなくねじり出す、もしくは交換することができる、請求項１３または１４記載の方法。
【発明の詳細な説明】
【技術分野】
【０００１】
本発明は、好適には直結軌道のためのレール基礎にレールを固定するためのレール固定システムであって、少なくとも１つの開口を備えたベースプレートと、開口に取り付けられる少なくとも１つのダボとを有するレール固定システムに関する。本発明はさらに、レール固定システムを製作する方法に関する。
【０００２】
背景技術
直結軌道のためのレール基礎にレールを固定するために、例えば組付けプレート、システムフレーム、または傾斜プレートとして形成されていてよいベースプレートが使用される。
【０００３】
独国実用新案第２０２０１５１０３９７２号明細書には、コンクリート床にロックし、レール保持手段を組み付けるためのダボを備えた組付けプレートが記載されている。組付けプレートは、下面に、支持構造に取り付けるための載置面を有している。組付けプレートに１つのダボ（同じく複数のダボ）を予め組み付けるために、ダボ頭部が載置面の側から、組付けプレートの相応の開口内に取り付けられ、ここでばね支持された保持手段によって保持される。このように予め組み付けられたレール固定システムは、まだ液状のコンクリート床内に振動しながら導入される。コンクリートの硬化後に、組付けプレートを通して締結ねじがダボ内に取り付けられる。
【０００４】
上述した従来技術によれば、ダボは下方からベースプレート内に差し込まれ、ロックされる。コンクリートは流し込みの際に、下方からベースプレートへと作用し、ベースプレートを上方に押す浮揚力を発生させる。同時に、ダボは、その長さによってコンクリート内に深く装着されているので、コンクリートによって固定されている。このような理由から、ダボがベースプレートから外れて、コンクリートが意図に反してベースプレートとダボとの間に流れるという危険が生じる。コンクリートの硬化後の修正は、時間とコストがかかる。さらなる問題点は、組付けプレートにコンクリートを流し込んだ後は、ダボを、例えば損傷の際に、簡単に交換することができないことにある。結果として、ダボを取り外す場合にはその前に、まずベースプレートを壊してコンクリートから取り出さなければならない。しかしながら、ダボは下方からベースプレート内でロックされていて、コンクリート内深くに流し込みにより固定されているので、取外しにより、コンクリート本体が著しく破壊される恐れがある。
【０００５】
発明の開示
本発明の課題は、改善された信頼性および／または耐久性および／または保守整備の可能性を備えた、レール基礎にレールを固定するためのレール固定システムを提供することにある。
【０００６】
この課題は、請求項１の特徴を有するレール固定システムならびに請求項１３の特徴を備えた方法により解決される。有利な別の構成は、従属請求項、本発明の以下の記載、ならびに好適な実施例の説明により明らかである。
【０００７】
本発明によるレール固定システムは、レール基礎にレールを取り外し可能に固定するために用いられる。レール基礎は好適には、直結軌道のためのコンクリート床であるが、軌道枕木またはその他の適したレール基礎であってもよい。レール固定システムは、好適にはプラスチックから成るベースプレートと、少なくとも１つのダボとを有している。ベースプレートは、好適には、レールを固定するための構成要素を取り付けるための組付けプレートである。ベースプレートは、このベースプレートを厚さ方向で完全に貫通する少なくとも１つの開口を有している。換言すると、開口は貫通孔である。厚さ方向とはこの場合、ベースプレートの組付け状態で見て、鉛直方向、すなわち重力方向を意味する。ダボは開口内に取り付けられており、開口内で、保持輪郭によって保持されており、厚さ方向で少なくとも一方の側で、ベースプレートを越えて突出している。
【０００８】
開口は、ベースプレートの厚さ方向の貫通孔であるので、ダボは、後の時点で、例えばコンクリートによって埋め込んだ後またはコンクリートを流し込んだ後、またはコンクリート床内に取り付けた後、上方から、回転させてベースプレートから取り外すことができる。これによりレール固定システムの信頼性および保守整備の可能性が改善される。特に、コンクリート床を部分的にまたは完全に破壊する必要はない。ダボは、ベースプレートの開口内への取付けの際に、変形したり、構造的に脆弱にされたり損傷されたりすることはなく、同じことはベースプレートにも当てはまるので、レール固定システムの耐久性は改善される。さらに、開口は両側からアクセスすることができるので、ダボを上方から開口内に取り付け、重力方向で保持輪郭により確実に保持することができ、これによりコンクリートの流し込みの際に、ベースプレートとダボとに異なる浮揚力がかけられたとしても、ダボが外れる危険性は減じられる。
【０００９】
好適には、ベースプレートは、レール固定のための１つ以上の構成要素を取り付けるための組付け面と、組付け面に対して厚さ方向で反対側に位置する載置面とを有しており、開口は、組付け面と載置面とを貫通しており、もしくは組付け面と載置面とに開口しており、ダボは載置面の側で、ベースプレートを越えて突出している。組付け面は好適には成形されており、すなわち、隆起部と凹部とを有している。したがって、組付け面は、水平な、または傾けられたレール載置区分を有していてよく、このレール載置区分上にレールは、組付け状態で、場合によっては減衰させかつ／またはばね弾性的な中間層を介して載置される。組付け面は代替的にまたは付加的に、例えば凹部として形成された、アングル状ガイドプレートを受容するために形成されている１つ以上の受容部を有していてよい。アングル状ガイドプレートはさらに、レールを摩擦接続的に弾性保持するために、湾曲した鋼製ばねである締結クランプと共に用いることができる。このために、締結クランプは好適にはそれぞれ、締結クランプの保持区分がばね弾性的にレールのレール脚部に押し付けられるように、アングル状ガイドプレートを介して締結ねじによってねじ固定される。
【００１０】
好適には、ダボは、組付け面の側から、ベースプレートの開口内に取り付けられ、これによりレール固定システムを、特に迅速かつ安価な形式で保守整備することができ、例えばダボを交換することができる。
【００１１】
好適には、載置面はリブ構造を有しており、これによりベースプレートがコンクリートに係合し、特に確実に固定される。
【００１２】
好適には、保持輪郭を実現するために、開口が雌ねじ山を有し、かつ／またはダボが雄ねじ山を有しており、ダボは、組付け面の側から開口内へとねじ込まれ、かつねじり出されるように構成されている。このようにして、ダボが開口内で確実にロックされるだけでなく、ダボとベースプレートとは、変形、損傷、またはその他の構造的な脆弱化を生じることなく、予め組み付けられる。これによりレール固定システムの信頼性はさらに改善される。さらにダボは後から、レール基礎を損傷することなく、工具によって簡単にねじ外しすることができる。特別な実施形態では、ダボのねじ込みおよびねじ外しが引き続き可能であるならば、上述した両ねじ山のうち一方が省かれてもよいことを補足しておく。
【００１３】
好適には、開口内における保持、およびコンクリート床またはその他のレール基礎におけるロックの際の様々な要件を考慮するために、雄ねじ山は、側面形状、側面間隔、コア直径、公称直径等のようなねじ山特性値が異なる２つの区分を有している。
【００１４】
好適には、ダボは、保持輪郭を実現するために、ねじ山構造に対して代替的または付加的に、開口の最も小さい直径を上回る直径を有するダボ頭部を有している。これにより、ダボは、問題なく上方から開口内に取り付けることができると同時に、コンクリート床内への取付けの際にまたはコンクリートによる埋め込みの際に、意図に反して外れてしまうことを特に確実に阻止することができる。
【００１５】
好適には、ベースプレートは、厚さ方向で８〜１５ｍｍの深さでコンクリート床内に設置され、かつ／またはダボは１２０ｍｍ以上の深さでコンクリート床内に到達しており、これによりレールの確実な保持と同時に、レール固定システムの保守整備の可能性が得られる。
【００１６】
好適には、ベースプレートは、ベースプレートを厚さ方向で完全に貫通する複数の、特に好適には２つの開口を有しており、レール固定システムは、相応に開口内に取り付けられ、そこでそれぞれ保持輪郭によって保持され、厚さ方向でベースプレートを越えて突出する複数の、特に好適には２つのダボを有している。これにより一方では、コンクリート床におけるベースプレートの固定が改善され、他方では、より多数のダボをレール固定のためにかつ／または別の構成要素を取り付けるために相乗的に使用することができる。したがって、２つのダボの場合は、例えば２つの締結クランプの緊締により、場合によってはアングル状ガイドプレートを介在させて、レールを両側でベースプレートに固定することができる。
【００１７】
本発明による方法は、上記説明によるレール固定システムを製作するために用いられる。この場合、１つのダボ（複数のダボも同様）を所属の開口内に、開口内で保持輪郭によってこのダボを保持し、このダボがベースプレートの厚さ方向で少なくとも一方の側で、ベースプレートを越えて突出するように、取り付ける。この方法は、レール固定システムの前組付けを実現する。
【００１８】
レール固定システムに関して説明した特徴、技術作用、利点、ならびに実施例は、その製作方法に関しても同様に当てはまる。
【００１９】
したがって、特に好適な実施形態によれば、ダボを上方から、すなわち組付け面の側から開口内に取り付け、これによりダボは下方に向かって、すなわち載置面の側でベースプレートを越えて突出する。さらに、前組付けは好適には、開口内へのダボの取付けの際に、ダボおよび／またはベースプレートが変形されないように、特に脆弱化されないように行われる。特に好適な実施形態により、ベースプレートの変形が排除されるならば、これによりベースプレートの部分、例えば保持輪郭も変形されない。
【００２０】
本発明のさらなる利点および特徴は、以下の好適な実施例の説明により明らかである。ここに記載された特徴は、単独で、または特徴が互いに矛盾しない限りは、上述した特徴の１つ以上と組み合わせて、実現することができる。好適な実施例の以下の説明はこの場合、添付の図面を参照して行われる。
【図面の簡単な説明】
【００２１】
【図１】レール固定システム、このレール固定システムによって固定すべきレール、ならびにコンクリート床を示す、部分的に分解して示す斜視図である。
【図２】図１のレール固定システムのベースプレートを示す概略的な断面図である。
【図３】図１のレール固定システムのベースプレートを示す概略的な平面図である。
【００２２】
好適な実施例の詳細な説明
以下に、図面につき好適な実施例を説明する。この場合、同じ、類似の、または同様の作用を有するエレメントには、図面において同じ符号を設け、重複を避けるためこれらのエレメントの繰り返しの説明は部分的に省く。
【００２３】
図１には、ベースプレート１０と、このベースプレートに接続される２つのダボ２０とを有するレール固定システム１が示されている。
【００２４】
ベースプレート１０は、この実施例では、レール２を固定するための成形された組付け面１１を備えた組付けプレートである。この目的で、組付け面１１は、傾けられたレール載置区分１２を有しており、このレール載置区分上にレール２は、固定状態で、場合によっては減衰させかつ／またはばね弾性的な中間層３を介して載置される。組付け面１１はさらに、アングル状ガイドプレート４を受容するために形成されている受容部１３を有している。アングル状ガイドプレート４はさらに、レール２を摩擦接続的に弾性保持するために湾曲した、鋼製ばねである締結クランプ５と共に用いられる。このために、締結クランプ５はそれぞれ、締結クランプ５の保持区分がばね弾性的にレール２のレール脚部２ａに押し付けられるように、アングル状ガイドプレート４を介して締結ねじ６によってねじ固定される。
【００２５】
上述した実施例ではベースプレート１０は、上述した形式の組付けプレートであるが、ベースプレート１０は別の形式で構成されていてもよい。したがって、ベースプレート１０は例えばシステムフレームであってよい。ベースプレート１０は、構成要素、例えばレール２、中間層３、アングル状ガイドプレート４、締結クランプ５、および／または締結ねじ６を、この実施例ではレールベースとして働くコンクリート床７に取り付けるために用いられる。組付け面１１の成形部（隆起部および凹部）の他に、ベースプレート１０は、コンクリート床７の側に、すなわち下面に、載置面１４を有しており、この載置面は好適にはリブ構造を有しており、これによりベースプレート１０はコンクリートに係合する。
【００２６】
ベースプレート１０は好適にはプラスチックから成っているが、別の材料、例えば金属または金属合金から製造されてもよい。
【００２７】
ベースプレート１０は、ダボ２０を受容するための、１つ以上の、この実施例では２つの開口１５を有している。開口１５は、貫通孔として形成されていて、すなわち開口は、ベースプレート１０を鉛直方向で完全に貫通しており、これによりダボ２０を（組付け状態で見て）上方から相応の開口１５内へと取り付けることができる。ダボ２０は、（組付け状態で見て）重力方向に沿って開口１５内で保持構造体によってロックされる。すなわち、ダボは、開口１５から下方に向かって簡単に、特に破壊されずには、引き出され得ない。この目的で、ダボ２０は、ダボ頭部２１を有していてよく、ダボ頭部の構造は、ダボ２０のダボ軸部２２とは異なっており、特にダボ頭部２１は、ダボ軸部２２よりも拡大された直径を有していてよい。ダボ頭部２１の直径は、特に、開口１５の最も小さい直径よりも大きくてよい。
【００２８】
好適には、ダボ２０は相応の開口１５内にねじ込まれる。この場合、ダボ２０は雄ねじ山２３を有している。雄ねじ山２３はさらに、側面形状、側面間隔、コア直径、公称直径等のようなねじ山特性値が互いに異なる頭部ねじ山区分２３ａと、軸部ねじ山区分２３ｂとを有することができる。 ねじ込み可能なダボ２０の場合、開口１５は好適には相応の雌ねじ山１６を有している。雌ねじ山１６と、特に頭部ねじ山区分２３ａの雄ねじ山２３とは、互いに適合するので、確実かつ維持可能なねじ固定が保証されている。ねじ山対は、上昇するコンクリートに対する確実なシールを保証するように設計されている。
【００２９】
開口１５の雌ねじ山１６は、図２によればベースプレート１０の横断面図に概略的に示されている。レール固定システム１のベースプレート１０の平面図は図３に示されている。
【００３０】
ベースプレート１０とダボ２０とから成るレール固定システム１は、好適には予め組付け可能または部分的に予め組付け可能であり、すなわち、レール固定システムをコンクリート床７に固定する前に、またはコンクリートによって埋め込む前に、ダボ２０が、ベースプレート１０内に取り付けられる。上述した構成要素、例えばアングル状ガイドプレート４および締結クランプ５の１つ以上を、レール固定システム１の部分であるとみなすことができることを補足しておく。
【００３１】
レール固定システム１を前組付けした後、この実施形態によれば、ベースプレート１０を、予め組付けられたダボ２０と共に、最終組付けするために、コンクリート床７の液状のコンクリート内に導入する、またはコンクリートによって埋め込む。硬化後は、ベースプレートは、例えば８〜１５ｍｍの深さで、コンクリート内に設置される。ダボ２０はコンクリート内に、より深くまで、例えば１２０ｍｍ以上の深さまで到達する。
【００３２】
ダボ２０は上方から開口１５内に取り付けられ、重力方向で確実にロックされるので、コンクリートの流し込みの際に、ベースプレート１０とダボ２０とに異なる浮揚力がかけられたとしても、ダボ２０が外れることはあり得ない。ダボ２０は、開口１５内への取付けの際に、変形したり、構造的に脆弱にされたり損傷されたりすることはなく、同じことはベースプレート１０にも当てはまるので、レール固定システム１の耐久性は改善される。特に、保持構造の変形は生じない。さらに、ダボ２０は、所定の期間経過後に、例えば摩耗または損傷といった理由で、上方から、ベースプレート１０から取り外すことができ、好適にはねじを外すことができる。コンクリート床７を部分的にまたは完全に破壊する必要はない。
【００３３】
使用可能であるならば、本発明の範囲を逸脱することなく、実施例に示した全ての個々の特徴を組み合わせ、かつ／または取り替えることができる。
【符号の説明】
【００３４】
１  レール固定システム
２  レール
２ａ  レール脚部
３  中間層
４  アングル状ガイドプレート
５  締結クランプ
６  締結ねじ
７  コンクリート床
１０  ベースプレート
１１  組付け面
１２  レール載置区分
１３  受容部
１４  載置面
１５  開口
１６  雌ねじ山
２０  ダボ
２１  ダボ頭部
２２  ダボ軸部
２３  雄ねじ山
２３ａ  ねじ山頭部区分
２３ｂ  ねじ山軸部区分
【図１】
2021510782.tif 000003
【図２】
2021510782.tif 000004
【図３】
2021510782.tif 000005
【手続補正書】
【提出日】令和2年1月10日(2020.1.10)
【手続補正１】
【補正対象書類名】特許請求の範囲
【補正対象項目名】全文
【補正方法】変更
【補正の内容】
【特許請求の範囲】
【請求項１】
好適には直結軌道のためのレール基礎にレール（２）を固定するためのレール固定システム（１）であって、好適にはプラスチックから成るベースプレート（１０）と、少なくとも１つのダボ（２０）とを有しており、
前記ベースプレート（１０）は、前記ベースプレート（１０）を厚さ方向で完全に貫通する少なくとも１つの開口（１５）を有しており、
前記ダボ（２０）は前記開口（１５）内に取り付けられており、前記開口内で、保持輪郭によって保持されており、前記厚さ方向で少なくとも一方の側で、前記ベースプレート（１０）を越えて突出しており、
前記ベースプレート（１０）は、レール固定のための１つ以上の構成要素を取り付けるための組付け面（１１）と、前記組付け面（１１）に対して厚さ方向で反対側に位置する載置面（１４）とを有しており、前記開口（１５）は、前記組付け面（１１）と前記載置面（１４）とを貫通しており、前記ダボ（２０）は前記載置面（１４）の側で、前記ベースプレート（１０）を越えて突出しているレール固定システム（１）において、
前記保持輪郭を実現するために、前記開口（１５）が雌ねじ山（１６）を有し、かつ／または前記ダボ（２０）が雄ねじ山（２３）を有しており、前記ダボ（２０）は、前記組付け面（１１）の側から前記開口（１５）内へとねじ込まれるように構成されていることを特徴とする、レール固定システム（１）。
【請求項２】
前記ダボ（２０）は前記組付け面（１１）の側から前記開口（１５）内に取り付けられる、請求項１記載のレール固定システム（１）。
【請求項３】
前記組付け面（１１）は、好適には減衰させかつ／またはばね弾性的な中間層（３）を介して、前記レール（２）を載置するために構成され、好適には傾けられた、レール載置区分（１２）および／またはアングル状ガイドプレート（４）を受容するために構成された１つ以上の受容部（１３）を有している、請求項１または２記載のレール固定システム（１）。
【請求項４】
前記載置面（１４）はリブ構造を有している、請求項１から３までのいずれか１項記載のレール固定システム（１）。
【請求項５】
前記雄ねじ山（２３）は、異なるねじ山特性値を有する２つの区分を有している、請求項１から４までのいずれか１項記載のレール固定システム（１）。
【請求項６】
前記保持輪郭を実現するために、前記ダボ（２０）は、前記開口（１５）の最も小さい直径を上回る直径を有するダボ頭部（２１）を有している、請求項１から５までのいずれか１項記載のレール固定システム（１）。
【請求項７】
前記ダボ（２０）内には締結ねじ（６）がねじ込まれていて、好適には、締結クランプ（５）が、前記締結ねじ（６）によって、前記締結クランプ（５）の保持区分がばね弾性的に、前記レール（２）のレール脚部（２ａ）に押し付けられるように、ねじ固定されている、請求項１から６までのいずれか１項記載のレール固定システム（１）。
【請求項８】
前記ベースプレート（１０）と前記ダボ（２０）とは少なくとも部分的にコンクリート床（７）内に固定され、または少なくとも部分的にコンクリートによって埋め込まれている、請求項１から７までのいずれか１項記載のレール固定システム（１）。
【請求項９】
前記ベースプレート（１０）は前記厚さ方向で８〜１５ｍｍの深さで前記コンクリート床（７）内に設置され、かつ／または前記ダボ（２０）は１２０ｍｍ以上の深さまで前記コンクリート床（７）内に達している、請求項８記載のレール固定システム（１）。
【請求項１０】
前記ベースプレート（１０）は、前記ベースプレート（１０）を厚さ方向で完全に貫通する複数の、好適には２つの開口（１５）を有しており、前記レール固定システム（１）は、相応に前記開口（１５）内に取り付けられ、そこでそれぞれ保持輪郭によって保持され、前記厚さ方向で前記ベースプレート（１０）を越えて突出する複数の、好適には２つのダボ（２０）を有している、請求項１から９までのいずれか１項記載のレール固定システム（１）。
【請求項１１】
請求項１から１０までのいずれか１項記載のレール固定システム（１）を製作する方法であって、ダボ（２０）を開口（１５）内に、前記ダボが前記開口内で、前記保持輪郭によって保持され、前記ベースプレート（１０）の厚さ方向で、少なくとも一方の側で、前記ベースプレート（１０）を越えて突出するように、取り付ける、方法。
【請求項１２】
前記ベースプレート（１０）は、レール固定のための１つ以上の構成要素を取り付けるための組付け面（１１）と、前記組付け面（１１）に対して前記厚さ方向で反対側に位置する載置面（１４）とを有しており、前記ダボ（２０）を、前記組付け面（１１）の側から前記開口（１５）内に、前記ダボが前記載置面（１４）の側で前記ベースプレート（１０）を越えて突出するように取り付ける、請求項１１記載の方法。
【請求項１３】
前記ダボ（２０）を前記開口（１５）内に取り付ける際に前記ダボ（２０）および／または前記ベースプレート（１０）を変形させず、好適には、前記ダボ（２０）を前記開口（１５）内に取り付け保持する際に、前記保持輪郭の変形を行われず、前記コンクリートの硬化後は、損傷の際に、前記ダボを破壊することなくねじり出す、もしくは交換することができる、請求項１１または１２記載の方法。
【国際調査報告】
2021510782.tif 000006
2021510782.tif 000007
2021510782.tif 000008
2021510782.tif 000009